(57)【要約】本開示のある態様は、無線ローカルエリアネットワークにおけるシンクロナスマルチチャネル送信のための方法に関する。アクセスポイントは、マルチプル周波数帯域にわたってその送信および受信チェインの割り付けを変更することができ、アップリンクおよびダウンリンク送信の双方が無線システムにおいて各局に対して適切に実行されるということを確実にする。
2012526476.tif 000002
【特許請求の範囲】
【請求項１】
無線通信のための方法であって、
複数の周波数帯域のうちの第１セットの周波数帯域に対して、複数の送信チェインを割り付けることと、
前記複数の周波数帯域のうちの第２セットの周波数帯域に対して、複数の受信チェインを割り付けることと、
を備える方法。
【請求項２】
前記第２セットの周波数帯域に対して前記送信チェインを再割り付けすることと、
前記第１セットの周波数帯域に対して前記受信チェインを再割り付けすることと、
をさらに備える請求項１に記載の方法。
【請求項３】
前記第１セットの周波数帯域からの周波数帯域は、任意の所与時間において、無線ノードに対してデータを送信する、または、前記無線ノードからデータを受信する、のいずれかのために使用される、請求項１に記載の方法。
【請求項４】
前記第１セットの周波数帯域上でデータを送信するために前記送信チェインを使用することと；
前記第２セットの周波数帯域上でデータを受信するために前記受信チェインを使用することと、なお、前記データ送信およびデータ受信は、同期される；
をさらに備える、請求項１に記載の方法。
【請求項５】
前記第１セットの周波数帯域上の送信のための開始時間は、前記第２セットの周波数帯域上の受信のための開始時間と等しく、前記第１セットの周波数帯域上の送信のための終了時間は、前記第２セットの周波数帯域上の受信のための終了時間と等しい、請求項４に記載の方法。
【請求項６】
前記第１セットの周波数帯域は、ガードバンドによって、前記第２セットの周波数帯域から分離される、請求項１に記載の方法。
【請求項７】
無線通信のための装置であって、
複数の周波数帯域のうちの第１セットの周波数帯域に対して、複数の送信チェインを割り付けるように構成された送信チェインアロケータと、
複数の周波数帯域のうちの第２セットの周波数帯域に対して、複数の送信チェインを割り付けるように構成された受信チェインアロケータと、
を備える装置。
【請求項８】
前記送信チェインアロケータは、前記第２セットの周波数帯域に対して前記送信チェインを再割り付けするように構成され、前記受信チェインアロケータは、前記第１セットの周波数帯域に対して前記受信チェインを再割り付けするように構成される、請求項７に記載の装置。
【請求項９】
前記第１セットの周波数帯域からの周波数帯域は、任意の所与時間において、無線ノードに対してデータを送信する、または、前記無線ノードからデータを受信する、のいずれかのために使用される、請求項７に記載の装置。
【請求項１０】
前記第１セットの周波数帯域上でデータを送信するために前記送信チェインを使用するように構成された送信機と；
前記第２セットの周波数帯域上でデータを受信するために前記受信チェインを使用するように構成された受信機と、なお、前記データ送信およびデータ受信は、同期される；
をさらに備える請求項７に記載の装置。
【請求項１１】
前記第１セットの周波数帯域上の送信のための開始時間は、前記第２セットの周波数帯域上の受信のための開始時間と等しく、前記第１セットの周波数帯域上の送信のための終了時間は、前記第２セットの周波数帯域上の受信のための終了時間と等しい、請求項１０に記載の装置。
【請求項１２】
前記第１セットの周波数帯域は、ガードバンドによって、前記第２セットの周波数帯域から分離される、請求項７に記載の装置。
【請求項１３】
無線通信のための装置であって、
複数の周波数帯域のうちの第１セットの周波数帯域に対して、複数の送信チェインを割り付けるための手段と、
前記複数の周波数帯域のうちの第２セットの周波数帯域に対して、複数の受信チェインを割り付けるための手段と、
を備える装置。
【請求項１４】
前記第２セットの周波数帯域に対して前記送信チェインを再割り付けするための手段と、
前記第１セットの周波数帯域に対して前記受信チェインを再割り付けするための手段と、
をさらに備える請求項１３に記載の装置。
【請求項１５】
前記第１セットの周波数帯域からの周波数帯域は、任意の所与時間において、無線ノードに対してデータを送信する、または、前記無線ノードからデータを受信する、のいずれかのために使用される、請求項１３に記載の装置。
【請求項１６】
前記第１セットの周波数帯域上でデータを送信するために前記送信チェインを使用するための手段と；
前記第２セットの周波数帯域上でデータを受信するために前記受信チェインを使用するための手段と、なお、前記データ送信およびデータ受信は、同期される；
をさらに備える請求項１３に記載の装置。
【請求項１７】
前記第１セットの周波数帯域上の送信のための開始時間は、前記第２セットの周波数帯域上の受信のための開始時間と等しく、前記第１セットの周波数帯域上の送信のための終了時間は、前記第２セットの周波数帯域上の受信のための終了時間と等しい、請求項１６に記載の装置。
【請求項１８】
前記第１セットの周波数帯域は、ガードバンドによって、前記第２セットの周波数帯域から分離される、請求項１３に記載の装置。
【請求項１９】
コンピュータ読取可能媒体を備える無線通信のためのコンピュータプログラムプロダクトであって、前記コンピュータ読取可能媒体は、
複数の周波数帯域のうちの第１セットの周波数帯域に対して、複数の送信チェインを割り付けることと、
前記複数の周波数帯域のうちの第２セットの周波数帯域に対して、複数の受信チェインを割り付けることと、
が実行可能である命令を備えている、
コンピュータプログラムプロダクト。
【請求項２０】
アクセスポイントであって、
複数のアンテナと；
複数の周波数帯域のうちの第１セットの周波数帯域に対して、前記複数のアンテナと結合された、複数の送信チェインを割り付けるように構成された送信チェインアロケータと；
前記複数の周波数帯域のうちの第２セットの周波数帯域に対して、前記複数のアンテナと結合された、複数の受信チェインを割り付けるように構成された受信チェインアロケータと；
を備えるアクセスポイント。
【請求項２１】
無線通信のための方法であって、
ビーコン間インターバルの第１部分の間に、複数の周波数帯域にわたって、複数の無線ノードに対してコンテンション・フリー・アクセスを提供することと、
前記ビーコン間インターバルの第２部分の間に、前記複数の周波数帯域にわたって、複数の無線ノードに対してコンテンションベースのアクセスを提供することと、
を備える方法。
【請求項２２】
コンテンション・フリー・アクセスについての前記第１部分は、各周波数帯域について同じ時間に開始し、各周波数帯域について同じ時間に終了する、請求項２１に記載の方法。
【請求項２３】
コンテンション・フリー・アクセスについての前記第１の部分は、各周波数帯域上で等しい長さの複数のフレームインターバルへと分割される、請求項２１に記載の方法。
【請求項２４】
前記複数のフレームインターバルからの各フレームインターバルは、データを送信する、または、データを受信する、のいずれかのために使用される、請求項２３に記載の方法。
【請求項２５】
前記複数の周波数帯域のうちの第１セットの周波数帯域上で前記複数のフレームインターバルのうちのフレームインターバルにおいてデータを送信することと、
前記第１セットの周波数帯域とは異なる前記複数の周波数帯域のうちの第２セットの周波数帯域上で前記複数のフレームインターバルのうちのフレームインターバルにおいてデータを受信することと、
をさらに備える請求項２３に記載の方法。
【請求項２６】
第１の装置によって第２の装置と通信して、前記第２の装置のコンテンション・フリー・アクセスについての別の時間インターバルと、コンテンション・フリー・アクセスについての前記第１の部分を同期すること、
をさらに備える請求項２１に記載の方法。
【請求項２７】
コンテンション・フリー・アクセスについての前記第１部分は、前記第１の装置によって使用される第１の時間インターバルと、前記第２の装置によって使用される第２の時間インターバルと、へ分割される、請求項２６に記載の方法。
【請求項２８】
前記第１および第２の装置は、前記第１の装置と関連づけられたベーシックサービスセット（ＢＳＳ）において、および、前記第２の装置と関連づけられた別のＢＳＳにおいて、コンテンション・フリー・アクセスを可能にするために、非オーバーラッピングセットの周波数帯域を選ぶ、請求項２６に記載の方法。
【請求項２９】
マルチプル周波数帯域を得ることと、
前記マルチプル周波数帯域上でシンクロナスデュプレクス通信を実行することと、
をさらに備える請求項２１に記載の方法。
【請求項３０】
前記マルチプル周波数帯域を得ることは、ＥＤＣＡ（Enhanced Distributed Channel Access）プロトコルにしたがって、前記マルチプル周波数帯域へのアクセスを得ることを備える、請求項２９に記載の方法。
【請求項３１】
前記マルチプル周波数帯域を得ることは、ＰＩＦＳ（Priority Inter-frame Space）アクセスプロトコルにしたがって、前記マルチプル周波数帯域へのアクセスを得ることを備える、請求項２９に記載の方法。
【請求項３２】
前記周波数帯域のうちの第１セットに対して、複数の送信チェインを割り付けることと、
前記周波数帯域のうちの第２セットに対して、複数の受信チェインを割り付けることと、
をさらに備える請求項２１に記載の方法。
【請求項３３】
無線通信のための装置であって、
ビーコン間インターバルの第１部分の間に複数の周波数帯域にわたって複数の無線ノードに対してコンテンション・フリー・アクセスを提供するように構成されたコンテンション・フリー・アクセスプロバイダと、
前記ビーコン間インターバルの第２部分の間に前記複数の周波数帯域にわたって、複数の無線ノードに対してコンテンションベースのアクセスを提供するように構成されたコンテンションベースのアクセスプロバイダと、
を備える装置。
【請求項３４】
コンテンション・フリー・アクセスについての前記第１部分は、各周波数帯域について同じ時間に開始し、各周波数帯域について同じ時間に終了する、請求項３３に記載の装置。
【請求項３５】
コンテンション・フリー・アクセスについての前記第１の部分は、各周波数帯域上で等しい長さの複数のフレームインターバルへと分割される、請求項３３に記載の装置。
【請求項３６】
前記複数のフレームインターバルからの各フレームインターバルは、データを送信する、または、データを受信する、のいずれかのために使用される、請求項３５に記載の装置。
【請求項３７】
前記複数の周波数帯域のうちの第１セットの周波数帯域上で前記複数のフレームインターバルのうちのフレームインターバルにおいてデータを送信するように構成された送信機と、
前記第１セットの周波数帯域とは異なる前記複数の周波数帯域のうちの第２セットの周波数帯域上で前記複数のフレームインターバルのうちのフレームインターバルにおいてデータを受信するように構成された受信機と、
をさらに備える請求項３５に記載の装置。
【請求項３８】
別の装置と通信して、前記別の装置のコンテンション・フリー・アクセスについての別の時間インターバルと、コンテンション・フリー・アクセスについての前記第１の部分を同期するように構成された同期ロジック、
をさらに備える請求項３３に記載の装置。
【請求項３９】
コンテンション・フリー・アクセスについての前記第１部分は、前記装置によって使用される第１の時間インターバルと、前記別の装置によって使用される第２の時間インターバルと、に分割される、請求項３８に記載の装置。
【請求項４０】
前記装置と前記別の装置は、前記装置と関連づけられたベーシックサービスセット（ＢＳＳ）において、および、前記別の装置と関連づけられた別のＢＳＳにおいて、コンテンション・フリー・アクセスを可能にするために、非オーバーラッピングセットの周波数帯域を選ぶ、請求項３８に記載の装置。
【請求項４１】
マルチプル周波数帯域を得て、前記マルチプル周波数帯域上でシンクロナスデュプレクス通信を実行するように構成されたデュプレクス通信ロジック、
をさらに備えている請求項３３に記載の装置。
【請求項４２】
前記デュプレクス通信ロジックは、ＥＤＣＡ（Enhanced Distributed Channel Access）プロトコルにしたがって前記マルチプル周波数帯域へのアクセスを得るように構成されたロジックを備える、請求項４１に記載の装置。
【請求項４３】
前記デュプレクス通信ロジックは、ＰＩＦＳ（Priority Inter-frame Space）アクセスプロトコルにしたがって前記マルチプル周波数帯域へのアクセスを得るように構成されたロジックを備える、請求項４１に記載の装置。
【請求項４４】
前記周波数帯域のうちの第１セットに対して複数の送信チェインを割り付けるように、そして、前記周波数帯域のうちの第２セットに対して複数の受信チェインを割り付けるように、構成された割り付けロジック、
をさらに備える請求項３３に記載の装置。
【請求項４５】
無線通信のための装置であって、
ビーコン間インターバルの第１部分の間に複数の周波数帯域にわたって、複数の無線ノードに対してコンテンション・フリー・アクセスを提供するための手段と、
前記ビーコン間インターバルの第２部分の間に前記複数の周波数帯域にわたって、複数の無線ノードに対してコンテンションベースのアクセスを提供するための手段と、
を備える装置。
【請求項４６】
コンテンション・フリー・アクセスについての前記第１部分は、各周波数帯域について同じ時間に開始し、各周波数帯域について同じ時間に終了する、請求項４５に記載の装置。
【請求項４７】
コンテンション・フリー・アクセスについての前記第１の部分は、各周波数帯域上で等しい長さの複数のフレームインターバルへと分割される、請求項４５に記載の装置。
【請求項４８】
前記複数のフレームインターバルからの各フレームインターバルは、データを送信する、または、データを受信する、のいずれかのために使用される、請求項４７に記載の装置。
【請求項４９】
前記複数の周波数帯域のうちの第１セットの周波数帯域上で前記複数のフレームインターバルのうちのフレームインターバルにおいてデータを送信するための手段と、
前記第１セットの周波数帯域とは異なる前記複数の周波数帯域のうちの第２セットの周波数帯域上で前記複数のフレームインターバルのうちのフレームインターバルにおいてデータを受信するための手段と、
をさらに備える請求項４７に記載の装置。
【請求項５０】
別の装置と通信して、前記別の装置のコンテンション・フリー・アクセスについての別の時間インターバルと、コンテンション・フリー・アクセスについての前記第１の部分を同期するための手段、
をさらに備える請求項４５に記載の装置。
【請求項５１】
コンテンション・フリー・アクセスについての前記第１部分は、前記装置によって使用される第１の時間インターバルと、前記別の装置によって使用される第２の時間インターバルと、に分割される、請求項５０に記載の装置。
【請求項５２】
前記装置と前記別の装置は、前記装置と関連づけられたベーシックサービスセット（ＢＳＳ）において、および、前記別の装置と関連づけられた別のＢＳＳにおいて、コンテンション・フリー・アクセスを可能にするために、非オーバーラッピングセットの周波数帯域を選ぶ、請求項５０に記載の装置。
【請求項５３】
マルチプル周波数帯域を得るための手段と、
前記マルチプル周波数帯域上でシンクロナスデュプレクス通信を実行するための手段と、
をさらに備える請求項４５に記載の装置。
【請求項５４】
前記マルチプル周波数帯域を得るための手段は、ＥＤＣＡ（Enhanced Distributed Channel Access）プロトコルにしたがって、前記マルチプル周波数帯域へのアクセスを得るための手段を備える、請求項５３に記載の装置。
【請求項５５】
前記マルチプル周波数帯域を得るための手段は、ＰＩＦＳ（Priority Inter-frame Space）アクセスプロトコルにしたがって、前記マルチプル周波数帯域へのアクセスを得るための手段を備える、請求項５３に記載の装置。
【請求項５６】
前記周波数帯域のうちの第１セットに対して、複数の送信チェインを割り付けるための手段と、
前記周波数帯域のうちの第２セットに対して、複数の受信チェインを割り付けるための手段と、
をさらに備える請求項４５に記載の装置。
【請求項５７】
コンピュータ読取可能媒体を備える無線通信のためのコンピュータプログラムプロダクトであって、前記コンピュータ読取可能媒体は、
ビーコン間インターバルの第１部分の間に複数の周波数帯域にわたって、複数の無線ノードに対してコンテンション・フリー・アクセスを提供することと、
前記ビーコン間インターバルの第２部分の間に前記複数の周波数帯域にわたって、複数の無線ノードに対してコンテンションベースのアクセスを提供することと、
が実行可能である命令を備えている、
コンピュータプログラムプロダクト。
【請求項５８】
アクセスポイントであって、
複数のアンテナと、
ビーコン間インターバルの第１部分の間に複数の周波数帯域にわたって、前記複数のアンテナを介して前記アクセスポイントとの通信のために複数の無線ノードに対してコンテンション・フリー・アクセスを提供するように構成されたコンテンション・フリー・アクセスプロバイダと、
前記ビーコン間インターバルの第２部分の間に前記複数の周波数帯域にわたって、前記複数のアンテナを介して前記アクセスポイントとの通信のために複数の無線ノードに対してコンテンションベースのアクセスを提供するように構成されたコンテンションベースのアクセスプロバイダと、
を備えるアクセスポイント。
【発明の詳細な説明】
【優先権主張】
【０００１】
（米国特許法の下の優先権主張）
本願は、２００９年５月８日に出願され、ここでの譲受人に譲渡され、ここにおける参照により明示的に組み込まれた米国仮出願番号第６１／１７６，８４９号の優先権を主張する。
【技術分野】
【０００２】
本開示のある態様は、一般的には無線通信に関し、より具体的にはマルチプル周波数帯域上のシンクロナス送信および受信に関する。
【背景技術】
【０００３】
無線通信システムのために要求される帯域幅要件を増やすという問題に取り組むために、高いデータスループットを達成しながらチャネルリソースを共有することにより単一のアクセスポイントと複数のユーザ端末（すなわち、局）が通信することを可能にする異なるスキームが展開されている。多入力多出力（ＭＩＭＯ）技術は、次世代通信システムの普及した技法として最近勃興している１つのこのような手法を表す。ＭＩＭＯ技術は、電気電子技術者協会（ＩＥＥＥ）８０２．１１標準規格のようないくつかの新興の無線通信標準規格において採用されている。ＩＥＥＥ８０２．１１は、短距離通信（例えば、何十メートルから数百メートル）のためのＩＥＥＥ８０２．１１委員会によって展開された１セットの無線ローカルエリアネットワーク（ＷＬＡＮ）の無線インタフェース標準規格を表す。
【０００４】
マルチバンドチャネル構造を伴ったＭＩＭＯ無線システムが考えられており、ここでは、アクセスポイントは、異なる周波数帯域を使用して複数の局と同時通信する。各局は、データ受信専用のある周波数帯域からデータ送信専用の別の周波数帯域へと切り替えることができる。しかしながら、局側で、送信用のある周波数帯域から、受信用の別の周波数帯域へと切り替わること（また逆も然り）は、複雑で時間のかかるプロセスであることがある。
【０００５】
したがって、より少ない複雑さとより小さい処理レイテンシを伴うマルチバンド無線システムにおいて通信する方法に関して当技術分野の必要性がある。
【発明の概要】
【０００６】
ある態様は、無線通信のための方法を提供する。方法は、一般的には、複数の周波数帯域のうちの第１セットの周波数帯域に対して複数の送信チェインを割り付けることと、複数の周波数帯域のうちの第２セットの周波数帯域に対して複数の受信チェインを割り付けることと、を含む。
【０００７】
ある態様は、無線通信のための装置を提供する。装置は、一般的には、複数の周波数帯域のうちの第１セットの周波数帯域に対して複数の送信チェインを割り付けるように構成された送信チェインアロケータと、複数の周波数帯域のうちの第１セットの周波数帯域に対して複数の送信チェインを割り付けるように構成された受信チェインアロケータと、を含む。
【０００８】
ある態様は、無線通信のための装置を提供する。装置は、一般的には、複数の周波数帯域のうちの第１セットの周波数帯域に対して複数の送信チェインを割り付けるための手段と、複数の周波数帯域のうちの第２セットの周波数帯域に対して複数の受信チェインを割り付けるための手段と、を含む。
【０００９】
ある態様は、命令を備えているコンピュータ読取可能媒体を備える無線通信のためのコンピュータプログラムプロダクトを提供する。命令は、一般的には、複数の周波数帯域のうちの第１セットの周波数帯域に対して複数の送信チェインを割り付けることと、複数の周波数帯域のうちの第２セットの周波数帯域に対して複数の受信チェインを割り付けることと、が実行可能である。
【００１０】
ある態様は、アクセスポイントを提供する。アクセスポイントは、一般的には、複数のアンテナと；複数の周波数帯域のうちの第１セットの周波数帯域に対して、複数のアンテナと結合された、複数の送信チェインを割り付けるように構成された送信チェインアロケータと；複数の周波数帯域のうちの第２セットの周波数帯域に対して、複数のアンテナと結合された、複数の受信チェインを割り付けるように構成された受信チェインアロケータと；を含む。
【００１１】
ある態様は、無線通信のための方法を提供する。方法は、一般的には、ビーコン間インターバルの第１部分の間に複数の周波数帯域にわたって、複数の無線ノードに対してコンテンション・フリー・アクセスを提供することと、ビーコン間インターバルの第２部分の間に複数の周波数帯域にわたって複数の無線ノードに対してコンテンションベースのアクセスを提供することと、を含む。
【００１２】
ある態様は、無線通信のための装置を提供する。装置は、一般的には、ビーコン間インターバルの第１部分の間に複数の周波数帯域にわたって複数の無線ノードに対してコンテンション・フリー・アクセスを提供するように構成されたコンテンション・フリー・アクセスプロバイダと、ビーコン間インターバルの第２部分の間に複数の周波数帯域にわたって複数の無線ノードに対してコンテンションベースのアクセスを提供するように構成されたコンテンションベースのアクセスプロバイダと、を含む。
【００１３】
ある態様は、無線通信のための装置を提供する。装置は、一般的には、ビーコン間インターバルの第１部分の間に複数の周波数帯域にわたって複数の無線ノードに対してコンテンション・フリー・アクセスを提供するための手段と、ビーコン間インターバルの第２部分の間に複数の周波数帯域にわたって複数の無線ノードに対してコンテンションベースのアクセスを提供するための手段と、を含む。
【００１４】
ある態様は、命令を備えているコンピュータ読取可能媒体を備える無線通信のためのコンピュータプログラムプロダクトを提供する。命令は、一般的には、ビーコン間インターバルの第１部分の間に複数の周波数帯域にわたって複数の無線ノードに対してコンテンション・フリー・アクセスを提供することと、ビーコン間インターバルの第２部分の間に複数の周波数帯域にわたって複数の無線ノードに対してコンテンションベースのアクセスを提供することと、が実行可能である。
【００１５】
ある態様は、アクセスポイントを提供する。アクセスポイントは、一般的には、複数のアンテナと；ビーコン間インターバルの第１部分の間に複数の周波数帯域にわたって、複数のアンテナを介してアクセスポイントとの通信のために、複数の無線ノードに対してコンテンション・フリー・アクセスを提供するように構成されたコンテンション・フリー・アクセスプロバイダと；ビーコン間インターバルの第２部分の間に複数の周波数帯域にわたって、複数のアンテナを介してアクセス端末との通信のために、複数の無線ノードに対してコンテンションベースのアクセスを提供するように構成されたコンテンションベースのアクセスプロバイダと；を含む。
【００１６】
本開示の上述された特徴が詳細に理解されることができる方法で、上記で簡単に要約されるより具体的な説明は、態様を参照することによってなされ、それらのうちのいくつかは、図面の中で図示されている。しかしながら、図面は、本開示のある典型的な態様のみを図示しているということに留意されたい、したがって、本説明は他の均等な効果の態様を認めることができるため、その範囲を制限するものとみなされない。
【図面の簡単な説明】
【００１７】
【図１】図１は、本開示のある態様による、無線通信ネットワークの図を図示する。
【図２】図２は、本開示のある態様による、図１の無線通信ネットワークにおける無線ノードの物理層（ＰＨＹ）の信号処理機能の例のブロック図を図示する。
【図３】図３は、本開示のある態様による、図１の無線通信ネットワークにおける無線ノードにおける処理システムの例示的なハードウェア構成のブロック図を図示する。
【図４】図４は、本開示のある態様による、アクセスポイントと複数の局との間で通信するためのマルチチャネル構造の例を図示する。
【図５】図５は、本開示のある態様による、マルチプル周波数帯域にわたってアクセスポイントにおいて送信および受信チェインを割り付ける例示的なオペレーションを図示する。
【図５Ａ】図５Ａは、図５で図示されたオペレーションを実行することができる例示的なコンポーネントを図示する。
【図６】図６は、本開示のある態様による、ビーコン間インターバルをコンテンションフリー期間とコンテンション期間へと分割する例を図示する。
【図７】図７は、本開示のある態様による、マルチプル周波数帯域にわたって、複数の局に対して、コンテンション・フリー・アクセスとコンテンションベースのアクセスを提供するための例示的なオペレーションを図示する。
【図７Ａ】図７Ａは、図７で図示されるオペレーションを実行することができる例示的なコンポーネントを図示する。
【詳細な説明】
【００１８】
本開示の様々な態様は、図面を参照して下記でより詳細に説明される。しかしながら、本開示は、多くの異なる形式で具現化されることができる、また、本開示全体で示されるいずれの具体的な構造または機能に限定されるように解釈されるべきではない。むしろ、これらの態様は本開示が徹底で完全となるように提供され、当業者に本開示の範囲を十分に伝達するはずである。ここにおける教示に基づいて、当業者は、本開示のいずれの他の態様と組み合わせてまたは独立してインプリメントされるにもかかわらず、本開示の範囲がここに開示される本開示のいずれの態様もカバーするように意図されるということを理解すべきである。例えば、ここにおいて記載される任意の数の態様を使用して、装置はインプリメントされてもよく、または、方法は実行されてもよい。さらに、本開示の範囲は、ここに記載される本開示の様々な態様のほかにまたは加えて他の構造、機能、または構造および機能を使用して実行されるこのような装置または方法をカバーするように意図される。ここにおいて開示される本開示のいずれの態様も特許請求の範囲の１つまたは複数の構成要素によって具現化されうるということは理解されるべきである。
【００１９】
用語「例示的な（exemplary）」は、「例（example）、事例（instance）、または例証（illustration）として機能する」ということを意味するように、ここでは使用される。ここにおいて説明されるいずれの態様も、「例示的な（exemplary）」であって、他の態様よりも、好ましいまたは有利であるものとして、必ずしも解釈されるべきではない。
【００２０】
特定の態様がここにおいて説明されているが、これらの態様の多くの変形および置き換えは、本開示の範囲内にある。好まれる態様のうちのいくつかの利益および利点が述べられているが、本開示の範囲は、特定の利益、使用、または、目的に限定されるように意図されない。むしろ、本開示の態様は、異なる無線技術、システム構成、ネットワーク、および送信プロトコルに広く適用可能であるように意図されており、それらのうちのいくつかは、図面において、そして、好ましい態様の下記の説明において、例として説明されている。詳細な説明および図面は、限定というよりはむしろ本開示の単なる説明であり、本開示の範囲は、特許請求の範囲とその同等物によって定義されている。
【００２１】
例示的な無線通信システム
ここで説明される技法は、直交多重化スキームに基づく通信システムを含んでいる様々なブロードバンド無線通信システムに使用されることができる。そのような通信システムの例は、直交周波数分割多元接続（ＯＦＤＭＡ）システム、シングルキャリア周波数分割多元接続（ＳＣ−ＦＤＭＡ）システムなどを含む。ＯＦＤＭＡシステムは、直交周波数分割多重化（ＯＦＤＭ）を利用し、そしてそれは、全体のシステムの帯域幅を複数の直交サブキャリアへと分割する変調技法である。これらのサブキャリアはまた、トーン、ビン、などと呼ばれることができる。ＯＦＤＭを用いて、各サブキャリアは、データと共に、独立的に変調されることができる。ＳＣ−ＦＤＭＡシステムは、システム帯域幅にわたって分散されるサブキャリア上で送信するためにインタリーブされるＦＤＭＡ（interleaved FDMA）（ＩＦＤＭＡ）を、隣接するサブキャリアのブロック上で送信するためにローカライズされるＦＤＭＡ（localized FDMA）（ＬＦＤＭＡ）を、または、隣接するサブキャリアの複数ブロック上で送信するために強化ＦＤＭＡ（enhanced FDMA）（ＥＦＤＭＡ）を利用することができる。一般に、変調シンボルは、ＯＦＤＭを用いて周波数領域で、およびＳＣ−ＦＤＭＡを用いて時間領域で、送信される。
【００２２】
ここにおける教示は、様々な有線または無線の装置（例えばノード）に組み込まれることができる（例えば、様々な有線または無線の装置内でインプリメントされる、または、様々な有線または無線の装置によって実行される）。いくつかの態様では、ここにおける教示にしたがってインプリメントされるノードは、アクセスポイントまたはアクセス端末を備えることができる。
【００２３】
アクセスポイント（「ＡＰ」）は、ＮｏｄｅＢ、無線ネットワークコントローラ（「ＲＮＣ」）、ｅＮｏｄｅＢ、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、または、何らかの他の用語、を備え、これらとしてインプリメントされ、またはこれらとして知られうる。
【００２４】
アクセス端末（「ＡＴ」）は、アクセス端末、加入者局、加入者ユニット、モバイル局、遠隔局、遠隔端末、ユーザ端末、ユーザエージェント、ユーザデバイス、ユーザ機器、または何らかの他の用語、を備え、これらとしてインプリメントされ、またはこれらとして知られうる。いくつかのインプリメンテーションでは、アクセス端末は、セルラ電話、コードレス電話、セッション開始プロトコル（「ＳＩＰ」）電話、無線ローカルループ（「ＷＬＬ」）局、携帯情報端末（「ＰＤＡ」）、無線接続機能を有するハンドへルドデバイス、局（「ＳＴＡ」）、あるいは無線モデムに接続された何らかの他の適切な処理デバイスを備えることができる。したがって、ここにおいて教示される１つまた複数の態様は電話（例、セルラ電話またはスマートフォン）、コンピュータ（例、ラップトップ）、ポータブル通信デバイス、ポータブルコンピューティングデバイス（例、携帯情報端末）、エンタテイメントデバイス（例、ミュージックまたはビデオデバイス、または衛星ラジオ）、グローバルポジショニングシステムデバイス、または、無線または有線を介して通信するように構成されるいずれの他の適切なデバイス、へと組み込まれうる。いくつかの態様では、ノードは無線ノードである。そのような無線ノードは、例えば、有線または無線の通信リンクを介して、（例えば、インターネットまたはセルラネットワークのような広域ネットワークのような）ネットワークに対するまたは関する接続を提供することができる。
【００２５】
無線ネットワークのいくつかの態様は、図１を参照して提示される。無線ネットワーク１００は、いくつかの無線ノードと共に示されており、それらは、一般的にはノード１１０と１２０と指定される。各無線ノードは、受信および／または送信することが可能である。下記の説明では、用語「受信ノード」は、受信しているノードを指すように使用されることができ、用語「送信ノード」は、送信しているノードを指すように使用されることができる。このような参照は、ノードは送信オペレーションと受信オペレーションの両方を実行することができない、ということを意味していない。
【００２６】
下記の詳細な説明の中では、ダウンリンク通信に関して、用語「アクセスポイント」は、送信ノードを指定するために使用され、用語「アクセス端末」は、受信ノードを指定するために使用される一方で、アップリンク通信に関して、用語「アクセスポイント」は、受信ノードを指定するために使用され、用語「アクセス端末」は、送信ノードを指定するために使用される。しかしながら、当業者は、アクセスポイントおよび／またはアクセス端末に他の用語または呼称が使用されることができるということを容易に理解するであろう。例えば、アクセスポイントは、基地局、ベーストランシーバ局、局、端末、ノード、アクセスポイントとして作用しているアクセス端末、または何らかの他の適切な用語で呼ばれることができる。アクセス端末は、ユーザ端末、モバイル局、加入者局、局、無線デバイス、端末、ノード、または何らかの他の適切な用語で呼ばれることができる。本開示全体で説明される様々なコンセプトは、それらの特定の術語に関係なく、すべての適切な無線ノードに適用するように意図される。
【００２７】
無線ネットワーク１００は、地理的領域全体に分散している任意の数のアクセスポイントをサポートして、アクセス端末１２０に対してカバレッジを提供することができる。システムコントローラ１３０は、アクセスポイントの調整および制御と、アクセス端末１２０の他のネットワークへのアクセス（例、インターネット）を提供するために使用されることができる。簡略化のため、１つのアクセスポイント１１０が図示されている。アクセスポイントは、一般的には、カバレッジの地理領域においてアクセス端末に対してバックホールサービスを提供する固定端末であるが、アクセスポイントは、いくつかの応用においてはモバイルであってもよい。固定式またはモバイル式でありうるアクセス端末は、アクセスポイントのバックホールサービスを使用する、または、他のアクセス端末とのピア・ツー・ピア通信に従事する。アクセス端末の例は、電話機（例えばセルラ電話）、ラップトップコンピュータ、デスクトップコンピュータ、携帯情報端末（ＰＤＡ）、デジタルオーディオプレイヤー（例えばＭＰ３プレイヤー）、カメラ、ゲームコンソール、またはいずれの他の適切な無線ノードを含む。
【００２８】
１つまたは複数のアクセス端末１２０は、ある機能を可能にする複数のアンテナを備えることができる。この構成で、アクセスポイント１１０における複数のアンテナが、複数のアンテナのアクセス端末と通信するために使用されることができ、さらなる帯域幅または送信電力なしにデータスループットを改良する。このことは、送信機における高いデータレートの信号を異なる空間シグネチャで複数のより低いレートのデータストリームへと分けることによって達成されることができ、したがって、受信機が、これらのストリームを複数のチャネルに分け、ストリームを適切に合成して高いレートのデータ信号を回復すること、を可能にする。
【００２９】
下記の開示の部分は、またＭＩＭＯ技術をサポートするアクセス端末を説明しているが、アクセスポイント１１０はまた、ＭＩＭＯ技術をサポートしないアクセス端末をサポートするように構成されることができる。この手法は、アクセス端末のより古いバージョン（すなわち「レガシ」端末）がそれらの有用な寿命時間を延長して無線ネットワークで展開され続けることを許容し、必要に応じて、より新しいＭＩＭＯアクセス端末が導入されることを許容する。
【００３０】
後述される詳細な説明では、本発明の様々な態様が直交周波数分割多重化（ＯＦＤＭ）のようないずれの適切な無線技術をサポートしているＭＩＭＯシステムを参照して説明される。ＯＦＤＭは、精確な周波数で間隙を介して多数のサブキャリア上でデータを分散させる技法である。間隔を介することは、受信機がサブキャリアからデータを回復することを可能にする「直交性」を提供する。ＯＦＤＭシステムは、ＩＥＥＥ８０２．１１または他の何らかの無線インタフェース標準規格をインプリメントすることができる。他の適切な無線技術は、例えば、符号分割多元接続（ＣＤＭＡ）、時分割多元接続（ＴＤＭＡ）、または、いずれの他の適切な無線技術、または、適切な無線技術のいずれの組み合わせ、を含む。ＣＤＭＡシステムは、ＩＳ−２０００、ＩＳ−９５、ＩＳ−８５６、広帯域ＣＤＭＡ（ＷＣＤＭＡ）、または、他の何らかの適切な無線インタフェース標準規格でインプリメントすることができる。ＴＤＭＡシステムは、モバイル通信のためのグローバルシステム（ＧＳＭ（登録商標））または他の何らかの適切な無線インタフェース標準規格をインプリメントすることができる。当業者が容易に理解するように、本発明の様々な態様はいずれの特定の無線技術及び／または無線インタフェース標準規格にも限定されない。
【００３１】
図２は、ＰＨＹ層の信号処理機能の例を図示している概念的なブロック図である。送信モードでは、ＴＸデータプロセッサ２０２は、ＭＡＣ層からデータを受信し、データを符号化（例えばターボ符号化）して受信ノードにおける順方向誤り訂正（ＦＥＣ）を容易にするために使用されることができる。エンコーディングプロセスは、一緒にブロック化され、ＴＸデータプロセッサ２０２によって信号コンスタレーションにマッピングされて、変調シンボルのシーケンスを生成することができるコードシンボルのシーケンスを結果としてもたらす。
【００３２】
ＯＦＤＭをインプリメントする無線ノードでは、ＴＸデータプロセッサ２０２からの変調シンボルは、ＯＦＤＭ変調器２０４に対して提供されることができる。ＯＦＤＭ変調器は、変調シンボルを並列ストリームへと分ける。各ストリームは、そのあとで、ＯＦＤＭサブキャリアへマッピングされ、次いで、逆高速フーリエ変換（ＩＦＦＴ）を使用して一緒に合成されて、時間領域ＯＦＤＭストリームを生成する。
【００３３】
ＴＸ空間プロセッサ２０６は、ＯＦＤＭストリームに関して空間処理を実行する。このことは、各ＯＦＤＭストリームを空間プレコードし、次いで、トランシーバ２０６を介して異なるアンテナ２０８に対して各空間プレコードされたストリームを提供することによって達成されることができる。各送信機２０６は、無線チャネル上の送信のためにそれぞれのプレコードされたストリームでＲＦキャリアを変調する。
【００３４】
受信モードでは、各トランシーバ２０６は、そのそれぞれのアンテナ２０８を通じて信号を受信する。各トランシーバ２０６は、ＲＦキャリア上へと変調された情報を回復し、ＲＸ空間プロセッサ２１０に対して情報を提供するために、使用されることができる。
【００３５】
ＲＸ空間プロセッサ２１０は、情報に関して空間処理を実行して、無線ノード２００に宛てられた任意の空間ストリームを回復する。空間処理は、チャネル相関マトリクスインバージョン（Channel Correlation Matrix Inversion）（ＣＣＭＩ）、最小平均二乗誤差（ＭＭＳＥ）、ソフト干渉キャンセル（Soft Interference Cancellation）（ＳＩＣ）、または、他の何らかの適切な技法にしたがって実行されることができる。複数の空間ストリームが無線ノード２００に宛てられる場合、それらは、ＲＸ空間プロセッサ２１０で合成されうる。
【００３６】
ＯＦＤＭをインプリメントする無線ノードでは、ＲＸ空間プロセッサ２１０からのストリーム（または合成ストリーム）は、ＯＦＤＭ復調器２１２に対して提供される。ＯＦＤＭ復調器２１２は、高速フーリエ変換（ＦＦＴ）を使用して、ストリーム（または合成ストリーム）を、時間領域から周波数領域へと変換する。周波数領域信号は、ＯＦＤＭ信号の各サブキャリアについて個別ストリームを備える。ＯＦＤＭ復調器２１２は、各サブキャリア上で搬送されるデータ（すなわち、変調シンボル）を回復させ、そのデータを変調シンボルのストリームへと多重化する。
【００３７】
ＲＸデータプロセッサ２１４は、変調シンボルを信号コンスタレーションにおける正しいポイントに変換して戻すために使用されることができる。無線チャネルにおけるノイズおよび他の妨害のため、変調シンボルは、オリジナルの信号コンスタレーションにおけるポイントの正確な位置に対応することができないことがある。ＲＸデータプロセッサ２１４は信号コンスタレーションにおける有効なシンボルの位置と受信されるポイントとの間の最小距離を見つけることによってどの変調シンボルが送信された可能性が最も高いかを検出する。これらのソフト判定は、ターボ符号の場合、例えば、所与の変調シンボルと関連づけられたコードシンボルの対数尤度比（ＬＬＲ）をコンピュートするために使用されることができる。ＲＸデータプロセッサ２１４は、そのあとで、ＭＡＣ層にデータを提供する前に当初送信されたデータを復号するために、コードシンボルＬＬＲのシーケンスを使用する。
【００３８】
図３は、無線ノードにおける処理システムのためのハードウェア構成の例を図示する概念図である。この例では、処理システム３００は、一般的にはバス３０２によって表されるバスアーキテクチャでインプリメントされることができる。バス３０２は、処理システム３００の特定アプリケーションと全体的な設計制約によって決まる任意の数の相互接続しているバスとブリッジを含むことができる。バスは、プロセッサ３０４、機械読取可能媒体３０６、およびバスインタフェース３０８を含んでいる様々な回路を一緒にリンクさせる。バスインタフェース３０８は、特に、バス３０２を介して処理システム３００に、ネットワークアダプタ３１０を接続するために使用されることができる。ネットワークアダプタ３１０はＰＨＹ層の信号処理機能をインプリメントするために使用されることができる。アクセス端末１１０（図１参照）の場合、ユーザインタフェース３１２（例えば、キーパッド、ディスプレイ、マウス、ジョイスティックなど）はまた、バスに接続されることができる。バス３０２はまた、タイミングソース、周辺機器、電圧調整器、電力管理回路、および同様なもののような様々な他の回路をリンクさせる、それらは、当技術分野ではよく知られているので、さらには説明しない。
【００３９】
プロセッサ３０４は、機械読取可能媒体３０６上で格納されたソフトウェアの実行を含むバス及び一般的な処理を管理することを担う。プロセッサ３０４は、１つまたは複数の汎用および／または専用プロセッサでインプリメントされることができる。例は、マイクロプロセッサ、マイクロコントローラ、ＤＳＰプロセッサ、およびソフトウェアを実行することができる他の回路を含むことができる。ソフトウェアは、ソフトウェア、ファームウェア、ミドルウェア、マイクロコード、ハードウェア記述言語または別の言葉で呼ばれても、命令、データ、または、そのいずれの組み合わせを意味するように広く解釈されるべきである。機械読取可能媒体は、例えば、ランダムアクセスメモリ（ＲＡＭ）、フラッシュメモリ、読み出し専用メモリ（ＲＯＭ）、プログラマブル読み出し専用メモリ（ＰＲＯＭ）、消去可能プログラマブル読み出し専用メモリ（ＥＰＲＯＭ）、電気的消去可能プログラマブル読み出し専用メモリ（ＥＥＰＲＯＭ）、レジスタ、磁気ディスク、光学ディスク、ハードドライブ、または、いずれの他の適切な記憶媒体、または、それらのいずれの組み合わせ、を含むことができる。機械読取可能媒体は、コンピュータプログラムプロダクトにおいて具現化されることができる。コンピュータプログラムプロダクトは、パッケージング材料を備えることができる。
【００４０】
図３で図示されたハードウェアインプリメンテーションでは、機械読取可能媒体３０６は、プロセッサ３０４から分離された処理システム３００の一部として示されている。しかしながら、当業者が容易に理解するように、機械読取可能媒体３０６、またはそのいずれの部分は、処理システム３００に外付けされうる。例えば、機械読取可能媒体３０６は、伝送線、データによって変調されたキャリア波、および／または、無線ノードから分離されたコンピュータプロダクト、を含むことができ、それらすべては、バスインタフェース３０８を通じてプロセッサ３０４によってアクセスされることができる。代替的に、または、追加的に、機械読取可能媒体３０６またはその任意の部分は、キャッシュおよび／または一般的なレジスタファイルに関する場合のように、プロセッサ３０４に組み込まれることができる。
【００４１】
処理システム３００は、プロセッサ機能を提供している１つまたは複数のマイクロプロセッサと、機械読取可能媒体３０６の少なくとも一部分を提供する外部メモリと、を備え、すべてが外部バスアーキテクチャを通じて他のサポートしている回路と一緒にリンクされる、汎用処理システムとして構成されることができる。代替的には、処理システム３００は、プロセッサ３０４、バイスインタフェース３０８、ユーザインタフェース３１２（アクセス端末の場合）、サポートしている回路（図示されず）、および単一チップへと組み込まれた機械読取可能媒体３０６の少なくとも一部分を備えたＡＳＩＣ（Application Specific Integrated Circuit）で、または、１つまたは複数のＦＰＧＡ（Field Programmable Gate Array）、ＰＬＤ（Programmable Logic Device）、コントローラ、ステートマシン、ゲート制御されたロジック、ディスクリートハードウェアコンポーネント、または、いずれの他の適切な回路、または、本開示の全体にわたって説明された様々な機能を実行することができる回路のいずれの組み合わせで、インプリメントされることができる。当業者は、特定のアプリケーションと全体システムに課された全体的な設計制約によって決まる処理システム３００の説明される機能を如何に最良にインプリメントするかを理解する。
【００４２】
アクセスポイント（ＡＰ）１１０と複数のアクセス端末（すなわち局）１２０との間の通信は、マルチプル周波数帯域上で実行されることができる。各局（ＳＴＡ）は、送信専用のある周波数帯から、受信専用の別の周波数帯へと切り換えることができる。しかしながら、切り替えプロシージャの複雑さは非常に高く、時間がかかることがある。本開示で提案された手法を適用することにより、各ＳＴＡにおける周波数帯の切り替えは、回避され、ＡＰ側に配置されうる。ＡＰは、マルチプル周波数帯域にわたって、その送信および受信チェインの分散(distribution)を変更して、アップリンクおよびダウンリンク送信の両方が無線システムにおいて各ＳＴＡに対して適切に実行されるということを確実にすることができる。
【００４３】
シンクロナスマルチチャネル送信
図４は、複数の送信チェイン（ブロック４０２によって図示される）および／または受信チェイン（ブロック４０４によって図示される）がマルチチャネルアーキテクチャにおいてマルチプル周波数帯域にわたって割り付けられることができる方法の例を図示する。図示されるように、任意の所与時間で、送信チェイン４０２は、マルチプル周波数帯域にわたって分散していてもよく、受信チェイン４０４は、送信チェインに対して割り付けられた周波数帯域とは異なる別のセットのマルチプル周波数帯域にわたって分散していてもよい。
【００４４】
ここにおいて使用されるように、送信および受信チェインという用語は、一般的には、それぞれ、他の無線ノードへの送信のためにデータを処理するために、そして、他の無線ノードから受信されるデータを処理するために、使用される処理エレメントを指す。
【００４５】
例証された例では、第１の時間期間の間、送信チェインは、（第１のチャネル４０６に対応している）第１セットの周波数帯域に対して割り付けられることができ、受信チェインは、第１セットの周波数帯域とは異なる（第２のチャネル４０８に対応している）第２セットの周波数帯域に対して割り付けられることができる。図４で図示されているように、第１セットの周波数帯域は、ガードバンド４１０によって第２セットの周波数帯域から分離されうる。後続時間期間に、送信および受信チェインは、他の周波数帯域に再割り付けされうる。例えば、図４で図示されるように、受信チェインは、（第１チャネル４０６に対応する）第１セットの周波数帯域に割り付けられることができ、送信チェインは、（第２チャネル４０８に対応する）第２セットの周波数帯域に割り付けられることができる。
【００４６】
ある態様によれば、第１セットの周波数帯域上での送信は、第２セットの周波数帯域上での受信とシンクロナス（例えば、ほぼ同じ時間に開始する）であってもよい。ここで使用されるように、シンクロナスという用語は、一般的には、第２セットの周波数帯域上の受信開始時間と実質的に等しい第１セットの周波数帯域上の送信開始時間を指すが、第１セットの周波数帯域上の送信終了時間は第２セットの周波数帯域上の受信終了時間と実質的に等しくてもよい。
【００４７】
図５は、本開示のある態様による、周波数帯域にわたる送信および受信チェインの割り付けのための例示的なオペレーション５００を図示する。５０２で、複数の送信チェインは、複数の周波数帯域のうちの第１セットの周波数帯域に対して割り付けられることができる。５０４で、複数の受信チェインは、複数の周波数帯域のうちの第２セットの周波数帯域に対して割り付けられることができる。第２セットの周波数帯域は第１セットの周波数帯域とは異なっていてもよく、ある場合には、図４で図示されるように、非オーバーラップであってもよい。５０６で、送信チェインと受信チェインは、複数の周波数帯にわたって再割り付けされることができる。
【００４８】
図６は、ビーコン間インターバルをコンテンション・フリー・アクセス期間とコンテンションアクセス期間へと分割する例を図示する。本開示のある態様は、ビーコン間インターバル６００の間、マルチプル周波数帯域にわたって通信をサポートし、なお、ＰＡ６０６は、図６で示されているように、ビーコン間インターバル６００を、コンテンション・フリー・アクセスについての時間期間６０２とコンテンションアクセスのための時間期間６０４の２つの部分に分けることができる。
【００４９】
コンテンション・フリー・アクセス期間６０２は、コンテンション・フリー・チャネルアクセスが例証された例におけるＡＰ６０６のようなＰＣ（Point Coordinator）によって提供される期間である。コンテンション・フリー・アクセス期間６０２の間に、ＡＰ６０６は、ＰＣＦ（Point Coordinated Function）モードで動作することができ、例えばＶＨＴ（Very High Throughput）の局（ＳＴＡｓ）との通信を調整することができる。他方で、コンテンションアクセス期間６０４は、すべての無線ノードがＤＣＦ（Distributed Coordinated Function）を使用してチャネルを競うときの期間である。コンテンションアクセス期間６０４の間、ＡＰ６０６は、ＤＣＦモードで動作することができ、例えばレガシ局との通信を調整することができる。
【００５０】
ＡＰ６０６は、例えばＥＤＣＡ（Enhanced Distributed Channel Access）プロトコルを利用することによって時間６０８でチャネルリソースにアクセスするコンテンションに勝つことができる。その後で、ＡＰは、マルチバンドチャネルにわたって、ＣＴＳ（Clear-to-Send）メッセージ６１０を送信することができる（すなわち、図６で図示されるように、ＣＴＳメッセージ６１０は、チャネル１上で送信されることができ、ＣＴＳメッセージ６１０’は、チャネル２上で送信されることができ、ＣＴＳメッセージ６１０’’は、チャネル３上で送信されることができる）。ＣＴＳメッセージ６１０の終了は、コンテンション・フリー・アクセス期間６０２内の送信機会の持続期間６１２の始まりを表すことができる。
【００５１】
コンテンション・フリー・アクセスについての時間期間６０２は、マルチプル周波数帯域にわたって同期されうる、すなわち、マルチプル周波数帯域上のコンテンション・フリー・アクセスの開始時間は、同じであってもよく、マルチプル周波数帯域上のコンテンション・フリー・アクセスの終了時間は同じであってもよい。マルチプル周波数帯域にわたっているコンテンション・フリー・アクセス時間期間６０２は、図６で示されるように、複数の等しい長さのフレームインターバルへと分割されることができる。任意のフレームインターバルにおいて、周波数帯域は、送信チェインまたは受信チェインのいずれかのために設けられることができる。送信チェインはまた、第１セットの周波数帯域にわたって分散していてもよく、受信チェインは、第１セットの周波数帯域とは異なる第２セットの周波数帯域にわたって分散していてもよい。通信リンクの反対側では、ＡＰと関連づけられたＳＴＡは、単一周波数帯域上で送信および受信することができる。
【００５２】
ＡＰ６０６（すなわちＡＰ１）は、それらのコンテンション・フリー・アクセス時間を同期するために、別のＡＰ（すなわちＡＰ２）と通信することができる。ＡＰ１およびＡＰ２は、コンテンション・フリー・アクセス時間を２つのインターバルへと分割することができ、ここでは、ＡＰ１は、第１のインターバルを使用することができ、ＡＰ２は、第２のインターバルを使用することができる。ＡＰ１とＡＰ２は、ＡＰ１のベーシックサービスセット（ＢＳＳ）において、また、ＡＰ２の別のＢＳＳにおいて、コンテンション・フリー・アクセスを可能にするために、非オーバーラッピングセットの周波数帯域を選択することができる。
【００５３】
本開示の一態様では、ＡＰは、コンテンションアクセス期間の間にＥＤＣＡ（Enhanced Distributed Channel Access）プロトコルを使用して複数のチャネルを得ることによってシンクロナスデュプレクス通信のための時間インターバルを開始することができる。本開示の別の態様では、シンクロナスデュプレクス通信のための時間インターバルは、ＰＩＦＳ（Priority Inter-frame Space）アクセスプロトコルを使用して得られることができる。
【００５４】
開始された時間インターバルは、等しい長さの複数のフレームインターバルへと分割されることができる。各フレームインターバルにおける周波数帯域は、送信チェインまたは受信チェインのいずれかのために設けられることができる。送信チェインはまた、マルチプル周波数帯域にわたって分散していてもよく、受信チェインは、送信チェイン周波数帯域とは異なる別のセットのマルチプル周波数帯域にわたって分散していてもよい。
【００５５】
図７は、本開示のある態様による、マルチプル周波数帯域にわたって複数の無線ノードに対して、コンテンション・フリー・アクセスとコンテンションベースのアクセスを提供するための例示的なオペレーション７００を図示する。７０２で、コンテンション・フリー・アクセスは、ビーコン間インターバルの第１部分（すなわち、コンテンション・フリー・アクセス期間）の間に複数の周波数帯域にわたって、複数の無線ノードに対して提供されることができる。７０４で、コンテンションベースのアクセスは、ビーコン間インターバルの第２部分（すなわち、コンテンションベースのアクセス期間）の間に複数の周波数帯域にわたって複数の無線ノードに対して提供されることができる。
【００５６】
上述された方法の様々なオペレーションは、対応する機能を実行することができるいずれの適切な手段によって実行されることができる。手段は、様々なハードウェアおよび／またはソフトウェアのコンポーネント（１つまたは複数）および／またはモジュール（１つまたは複数）を含むことができ、限定されてはいないが、回路、特定用途向け回路（ＡＳＩＣ）、またはプロセッサを含んでいる。一般的に、図面で図示されるオペレーションがある場合には、これらのオペレーションは、同様な番号が備わった、対応するカウンターパートのミーンズ・プラス・ファンクションコンポーネントを有しうる。例えば、図５および図７で図示されるブロック５０２−５０６および７０２−７０４は、図５Ａおよび図７Ａで図示される回路ブロック５０２Ａ−５０６Ａおよび７０２Ａ−７０４Ａに対応する。
【００５７】
ここにおいて使用されるように、用語「決定すること（determining）」は、広範囲な動作を包含する。例えば「決定すること（determining）」は、計算すること、コンピュートすること、処理すること、導出すること、吟味すること（investigating）、ルックアップすること（looking up）（例、テーブル、データベース、または別のデータ構造においてルックアップすること）、確かめること（ascertaining）、及び同様なものを含むことができる。また「決定すること（determining）」は、受信すること（例、情報を受信すること）、アクセスすること（例、メモリのデータをアクセスすること）、及び同様なものを含むことができる。また、「決定すること（determining）」は、解決すること（resolving）、選択すること（selecting）、選ぶこと（choosing）、確立すること（establishing）、および同様なものを含むことができる。
【００５８】
上述される方法の様々なオペレーションは、様々なハードウェアおよび／またはソフトウェアのコンポーネント（１つまたは複数）、回路、および／またはモジュール（１つまたは複数）のようなオペレーションを実行することができるいずれの適切な手段によって実行されることができる。一般的に、図面で図示されているいずれのオペレーションも、オペレーションを実行することができる対応する機能手段によって実行されることができる。
【００５９】
本開示に関連して説明された様々な説明のためのロジカルブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）、あるいは他のプログラマブル論理デバイス（ＰＬＤ）、ディスクリートゲートあるいはトランジスタロジック、ディスクリートハードウェアコンポーネント、あるいは、ここに説明された機能を実行するように設計されたそれらのいずれの組み合わせ、でインプリメントされる、あるいは実行されることができる。汎用プロセッサは、マイクロプロセッサであってもよいが、代替として、プロセッサは、いずれの商業的に利用可能なプロセッサ、コントローラ、マイクロコントローラ、あるいはステートマシン（state machine）であってもよい。プロセッサはまた、コンピューティングデバイス（computing devices）の組み合わせ、例えば、ＤＳＰとマイクロプロセッサとの組み合わせ、複数のマイクロプロセッサ、ＤＳＰコアと併用しての１以上のマイクロプロセッサ、あるいはいずれの他のそのような構成のもの、としてインプリメントされることができる。
【００６０】
本開示に関連して説明された方法またはアルゴリズムのステップは、直接ハードウェアにおいて、プロセッサによって実行されたソフトウェアモジュールにおいて、あるいは２つの組み合わせにおいて、具現化されることができる。ソフトウェアモジュールは、当技術分野で知られている任意の形態の記憶媒体に常駐することができる。使用されることができる記憶媒体のいくつかの例は、ランダムアクセスメモリ（ＲＡＭ）、読み出し専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭ、などを含む。ソフトウェアモジュールは、単一の命令または多くの命令を備えることができ、いくつかの異なるコードセグメント上で、異なるプログラムの中で、そして、複数の記憶媒体にわたって、分散していてもよい。記憶媒体は、プロセッサが記憶媒体から情報を読み取ることができ、また記憶媒体に情報を書き込むことができるように、プロセッサに結合されうる。あるいは、記憶媒体は、プロセッサに一体化されうる。
【００６１】
ここにおいて開示される方法は、説明される方法を達成するための１以上のステップまたは動作を備える。方法のステップ及び／または動作は、特許請求の範囲から逸脱することなく互いに置き換えられることができる。言いかえれば、ステップまたは動作の具体的な順序が指定されていない限り、具体的なステップ及び／または動作の順序及び／または使用は、特許請求の範囲から逸脱することなく変更されることができる。
【００６２】
説明された機能は、ハードウェア、ソフトウェア、ファームウェアあるいはそれらのいずれかの組み合わせでインプリメントされることができる。ソフトウェアでインプリメントされる場合には、機能は、コンピュータ読取可能媒体上で、１つまたは複数の命令として、格納されることができる。記憶媒体は、コンピュータによってアクセスされることができる、いずれの利用可能な媒体であることができる。限定されないが、例として、このようなコンピュータ読取可能媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータ構造の形態で望まれるプログラムコードを格納または搬送するために使用されることができる、また、コンピュータによってアクセスされることができる、任意の他の媒体も備えることができる。ここに使用されるように、ディスク（disk）とディスク（disc）は、コンパクトディスク（compact disc）（ＣＤ）、レーザーディスク（登録商標）（laser disc）、光学ディスク（optical disc）、デジタル汎用ディスク（digital versatile disc）（ＤＶＤ）、フロッピー（登録商標）ディスク（disk）およびブルーレイディスク（blu-ray disc）を含んでおり、「ディスク（disks）」は、大抵、データを磁気的に再生するが、「ディスク（discs）」は、レーザーで光学的に再生する。
【００６３】
したがって、ある態様は、ここに提示されるオペレーションを実行するためのコンピュータプログラムプロダクトを備えることができる。例えば、このようなコンピュータプログラムプロダクトは、命令が格納されている（および／または符号化されている）コンピュータ読取可能媒体を備えることができ、命令は、ここに説明されるオペレーションを実行するように1つまたは複数のプロセッサによって実行可能である。ある態様に関しては、コンピュータプログラムプロダクトは、パッケージング材料を含むことができる。
【００６４】
ソフトウェアまたは命令はまた、送信媒体上で送信されることができる。例えば、ソフトウェアがウェブサイト、サーバ、あるいは、同軸ケーブル、光ファイバーケーブル、ツイストペア、デジタル加入者ライン（ＤＳＬ）、あるいは赤外線、無線、およびマイクロ波のような無線技術を使用している他の遠隔ソース、から送信される場合には、同軸ケーブル、光ファイバーケーブル、ツイストペア、ＤＳＬ、あるいは赤外線、無線、およびマイクロ波のような無線技術は、送信媒体の定義に含まれる。
【００６５】
さらに、ここに説明される方法および技法を実行するためのモジュールおよび／または他の適切な手段は、ダウンロードされることができる、および／または、そうでない場合には、規定どおりにユーザ端末および／または基地局によって得られるということは理解されるべきである。例えば、このようなデバイスは、ここに説明される方法を実行するための手段の転送を容易にするためにサーバに結合されることができる。代替的には、ここにおいて記載される様々な方法は、記憶手段（例、ＲＡＭ、ＲＯＭ、コンパクトディスク（ＣＤ）またはフロッピーディスクのような物理記憶媒体等）を介して提供されることができるので、ユーザ端末及び／または基地局は、デバイスに記憶手段を結合または提供するときに、様々な方法を得ることができる。さらに、デバイスに対してここに説明される方法及び技法を提供するためにいずれの他の適切な技法が利用されることができる。
【００６６】
本願の請求項は、厳密な構成及び上記で例証されるコンポーネントに限定されていないということは理解されるべきである。様々な修正、変更、及び変形は、特許請求の範囲から逸脱することなく、配置、オペレーション、及び、上述される方法及び装置の詳細において行われることができる。
【００６７】
ここにおいて提供される技術は、さまざまなアプリケーションにおいて使用されることができる。ある態様では、ここにおいて提示される技法は、アクセスポイント局、アクセス端末、モバイルハンドセット、または、ここに提供される技法を実行する処理ロジックおよびエレメントを備えた他のタイプの無線デバイス、に組み込まれうる。
【図１】
2012526476.tif 000003
【図２】
2012526476.tif 000004
【図３】
2012526476.tif 000005
【図４】
2012526476.tif 000006
【図５】
2012526476.tif 000007
【図５Ａ】
2012526476.tif 000008
【図６】
2012526476.tif 000009
【図７】
2012526476.tif 000010
【図７Ａ】
2012526476.tif 000011
【手続補正書】
【提出日】平成23年12月27日(2011.12.27)
【手続補正１】
【補正対象書類名】特許請求の範囲
【補正対象項目名】全文
【補正方法】変更
【補正の内容】
【特許請求の範囲】
【請求項１】
無線通信のための方法であって、
複数の周波数帯域のうちの第１セットの周波数帯域に対して、複数の送信チェインを割り付けることと；
前記複数の周波数帯域のうちの第２セットの周波数帯域に対して、複数の受信チェインを割り付けることと；
前記第１セットの周波数帯域上でデータを送信するために前記送信チェインを使用することと；
前記第２セットの周波数帯域上でデータを受信するために前記受信チェインを使用することと、なお、前記データ送信およびデータ受信は、同期される；  を備える方法。
【請求項２】
前記第２セットの周波数帯域に対して前記送信チェインを再割り付けすることと、
前記第１セットの周波数帯域に対して前記受信チェインを再割り付けすることと、
をさらに備える請求項１に記載の方法。
【請求項３】
前記第１セットの周波数帯域からの周波数帯域は、任意の所与時間において、無線ノードに対してデータを送信する、または、前記無線ノードからデータを受信する、のいずれかのために使用される、請求項１に記載の方法。
【請求項４】
前記第１セットの周波数帯域上の送信のための開始時間は、前記第２セットの周波数帯域上の受信のための開始時間と等しく、前記第１セットの周波数帯域上の送信のための終了時間は、前記第２セットの周波数帯域上の受信のための終了時間と等しい、請求項１に記載の方法。
【請求項５】
前記第１セットの周波数帯域は、ガードバンドによって、前記第２セットの周波数帯域から分離される、請求項１に記載の方法。
【請求項６】
無線通信のための装置であって、
複数の周波数帯域のうちの第１セットの周波数帯域に対して、複数の送信チェインを割り付けるように構成された送信チェインアロケータと；
複数の周波数帯域のうちの第２セットの周波数帯域に対して、複数の送信チェインを割り付けるように構成された受信チェインアロケータと；
前記第１セットの周波数帯域上でデータを送信するために前記送信チェインを使用するように構成された送信機と；
前記第２セットの周波数帯域上でデータを受信するために前記受信チェインを使用するように構成された受信機と、なお、前記データ送信およびデータ受信は、同期される；
を備える装置。
【請求項７】
前記送信チェインアロケータは、前記第２セットの周波数帯域に対して前記送信チェインを再割り付けするように構成され、前記受信チェインアロケータは、前記第１セットの周波数帯域に対して前記受信チェインを再割り付けするように構成される、請求項６に記載の装置。
【請求項８】
前記第１セットの周波数帯域からの周波数帯域は、任意の所与時間において、無線ノードに対してデータを送信する、または、前記無線ノードからデータを受信する、のいずれかのために使用される、請求項６に記載の装置。
【請求項９】
前記第１セットの周波数帯域上の送信のための開始時間は、前記第２セットの周波数帯域上の受信のための開始時間と等しく、前記第１セットの周波数帯域上の送信のための終了時間は、前記第２セットの周波数帯域上の受信のための終了時間と等しい、請求項６に記載の装置。
【請求項１０】
前記第１セットの周波数帯域は、ガードバンドによって、前記第２セットの周波数帯域から分離される、請求項６に記載の装置。
【請求項１１】
無線通信のための装置であって、
複数の周波数帯域のうちの第１セットの周波数帯域に対して、複数の送信チェインを割り付けるための手段と；
前記複数の周波数帯域のうちの第２セットの周波数帯域に対して、複数の受信チェインを割り付けるための手段と；
前記第１セットの周波数帯域上でデータを送信するために前記送信チェインを使用するための手段と；
前記第２セットの周波数帯域上でデータを受信するために前記受信チェインを使用するための手段と、なお、前記データ送信およびデータ受信は、同期される；
を備える装置。
【請求項１２】
前記第２セットの周波数帯域に対して前記送信チェインを再割り付けするための手段と、
前記第１セットの周波数帯域に対して前記受信チェインを再割り付けするための手段と、
をさらに備える請求項１１に記載の装置。
【請求項１３】
前記第１セットの周波数帯域からの周波数帯域は、任意の所与時間において、無線ノードに対してデータを送信する、または、前記無線ノードからデータを受信する、のいずれかのために使用される、請求項１１に記載の装置。
【請求項１４】
前記第１セットの周波数帯域上の送信のための開始時間は、前記第２セットの周波数帯域上の受信のための開始時間と等しく、前記第１セットの周波数帯域上の送信のための終了時間は、前記第２セットの周波数帯域上の受信のための終了時間と等しい、請求項１１に記載の装置。
【請求項１５】
前記第１セットの周波数帯域は、ガードバンドによって、前記第２セットの周波数帯域から分離される、請求項１１に記載の装置。
【請求項１６】
コンピュータ読取可能媒体を備える無線通信のためのコンピュータプログラムプロダクトであって、前記コンピュータ読取可能媒体は、
請求項１−５に記載の方法のステップを実行することが実行可能である命令を備えている、
コンピュータプログラムプロダクト。
【請求項１７】
アクセスポイントであって、
複数のアンテナと；
複数の周波数帯域のうちの第１セットの周波数帯域に対して、前記複数のアンテナと結合された、複数の送信チェインを割り付けるように構成された送信チェインアロケータと；
前記複数の周波数帯域のうちの第２セットの周波数帯域に対して、前記複数のアンテナと結合された、複数の受信チェインを割り付けるように構成された受信チェインアロケータと、なお、データ送信およびデータ受信は、同期される；
を備えるアクセスポイント。
【請求項１８】
無線通信のための方法であって、
ビーコン間インターバルの第１部分の間に、複数の周波数帯域にわたって、複数の無線ノードに対してコンテンション・フリー・アクセスを提供することと、
前記ビーコン間インターバルの第２部分の間に、前記複数の周波数帯域にわたって、複数の無線ノードに対してコンテンションベースのアクセスを提供することと、
を備え、コンテンション・フリー・アクセスについての前記第１部分は、各周波数帯域について同じ時間に開始し、各周波数帯域について同じ時間に終了する、方法。
【請求項１９】
コンテンション・フリー・アクセスについての前記第１の部分は、各周波数帯域上で等しい長さの複数のフレームインターバルへと分割される、請求項１８に記載の方法。
【請求項２０】
前記複数のフレームインターバルからの各フレームインターバルは、データを送信する、または、データを受信する、のいずれかのために使用される、請求項１９に記載の方法。
【請求項２１】
前記複数の周波数帯域のうちの第１セットの周波数帯域上で前記複数のフレームインターバルのうちのフレームインターバルにおいてデータを送信することと、
前記第１セットの周波数帯域とは異なる前記複数の周波数帯域のうちの第２セットの周波数帯域上で前記複数のフレームインターバルのうちのフレームインターバルにおいてデータを受信することと、
をさらに備える請求項１９に記載の方法。
【請求項２２】
第１の装置によって第２の装置と通信して、前記第２の装置のコンテンション・フリー・アクセスについての別の時間インターバルと、コンテンション・フリー・アクセスについての前記第１の部分を同期すること、
をさらに備える請求項１８に記載の方法。
【請求項２３】
コンテンション・フリー・アクセスについての前記第１部分は、前記第１の装置によって使用される第１の時間インターバルと、前記第２の装置によって使用される第２の時間インターバルと、へ分割される、請求項２２に記載の方法。
【請求項２４】
前記第１および第２の装置は、前記第１の装置と関連づけられたベーシックサービスセット（ＢＳＳ）において、および、前記第２の装置と関連づけられた別のＢＳＳにおいて、コンテンション・フリー・アクセスを可能にするために、非オーバーラッピングセットの周波数帯域を選ぶ、請求項２２に記載の方法。
【請求項２５】
マルチプル周波数帯域を得ることと、
前記マルチプル周波数帯域上でシンクロナスデュプレクス通信を実行することと、
をさらに備える請求項１８に記載の方法。
【請求項２６】
前記マルチプル周波数帯域を得ることは、ＥＤＣＡ（Enhanced Distributed Channel Access）プロトコルにしたがって、前記マルチプル周波数帯域へのアクセスを得ることを備える、請求項２５に記載の方法。
【請求項２７】
前記マルチプル周波数帯域を得ることは、ＰＩＦＳ（Priority Inter-frame Space）アクセスプロトコルにしたがって、前記マルチプル周波数帯域へのアクセスを得ることを備える、請求項２５に記載の方法。
【請求項２８】
前記周波数帯域のうちの第１セットに対して、複数の送信チェインを割り付けることと、
前記周波数帯域のうちの第２セットに対して、複数の受信チェインを割り付けることと、
をさらに備える請求項１８に記載の方法。
【請求項２９】
無線通信のための装置であって、
ビーコン間インターバルの第１部分の間に複数の周波数帯域にわたって複数の無線ノードに対してコンテンション・フリー・アクセスを提供するように構成されたコンテンション・フリー・アクセスプロバイダと、
前記ビーコン間インターバルの第２部分の間に前記複数の周波数帯域にわたって、複数の無線ノードに対してコンテンションベースのアクセスを提供するように構成されたコンテンションベースのアクセスプロバイダと、
を備え、コンテンション・フリー・アクセスについての前記第１部分は、各周波数帯域について同じ時間に開始し、各周波数帯域について同じ時間に終了する、装置。
【請求項３０】
コンテンション・フリー・アクセスについての前記第１の部分は、各周波数帯域上で等しい長さの複数のフレームインターバルへと分割される、請求項２９に記載の装置。
【請求項３１】
前記複数のフレームインターバルからの各フレームインターバルは、データを送信する、または、データを受信する、のいずれかのために使用される、請求項３０に記載の装置。
【請求項３２】
前記複数の周波数帯域のうちの第１セットの周波数帯域上で前記複数のフレームインターバルのうちのフレームインターバルにおいてデータを送信するように構成された送信機と、
前記第１セットの周波数帯域とは異なる前記複数の周波数帯域のうちの第２セットの周波数帯域上で前記複数のフレームインターバルのうちのフレームインターバルにおいてデータを受信するように構成された受信機と、
をさらに備える請求項３０に記載の装置。
【請求項３３】
別の装置と通信して、前記別の装置のコンテンション・フリー・アクセスについての別の時間インターバルと、コンテンション・フリー・アクセスについての前記第１の部分を同期するように構成された同期ロジック、
をさらに備える請求項２９に記載の装置。
【請求項３４】
コンテンション・フリー・アクセスについての前記第１部分は、前記装置によって使用される第１の時間インターバルと、前記別の装置によって使用される第２の時間インターバルと、に分割される、請求項３３に記載の装置。
【請求項３５】
前記装置と前記別の装置は、前記装置と関連づけられたベーシックサービスセット（ＢＳＳ）において、および、前記別の装置と関連づけられた別のＢＳＳにおいて、コンテンション・フリー・アクセスを可能にするために、非オーバーラッピングセットの周波数帯域を選ぶ、請求項３３に記載の装置。
【請求項３６】
マルチプル周波数帯域を得て、前記マルチプル周波数帯域上でシンクロナスデュプレクス通信を実行するように構成されたデュプレクス通信ロジック、
をさらに備えている請求項２９に記載の装置。
【請求項３７】
前記デュプレクス通信ロジックは、ＥＤＣＡ（Enhanced Distributed Channel Access）プロトコルにしたがって前記マルチプル周波数帯域へのアクセスを得るように構成されたロジックを備える、請求項３６に記載の装置。
【請求項３８】
前記デュプレクス通信ロジックは、ＰＩＦＳ（Priority Inter-frame Space）アクセスプロトコルにしたがって前記マルチプル周波数帯域へのアクセスを得るように構成されたロジックを備える、請求項３６に記載の装置。
【請求項３９】
前記周波数帯域のうちの第１セットに対して複数の送信チェインを割り付けるように、そして、前記周波数帯域のうちの第２セットに対して複数の受信チェインを割り付けるように、構成された割り付けロジック、
をさらに備える請求項２９に記載の装置。
【請求項４０】
無線通信のための装置であって、
ビーコン間インターバルの第１部分の間に複数の周波数帯域にわたって、複数の無線ノードに対してコンテンション・フリー・アクセスを提供するための手段と、
前記ビーコン間インターバルの第２部分の間に前記複数の周波数帯域にわたって、複数の無線ノードに対してコンテンションベースのアクセスを提供するための手段と、
を備え、コンテンション・フリー・アクセスについての前記第１部分は、各周波数帯域について同じ時間に開始し、各周波数帯域について同じ時間に終了する、装置。
【請求項４１】
コンテンション・フリー・アクセスについての前記第１の部分は、各周波数帯域上で等しい長さの複数のフレームインターバルへと分割される、請求項４０に記載の装置。
【請求項４２】
前記複数のフレームインターバルからの各フレームインターバルは、データを送信する、または、データを受信する、のいずれかのために使用される、請求項４１に記載の装置。
【請求項４３】
前記複数の周波数帯域のうちの第１セットの周波数帯域上で前記複数のフレームインターバルのうちのフレームインターバルにおいてデータを送信するための手段と、
前記第１セットの周波数帯域とは異なる前記複数の周波数帯域のうちの第２セットの周波数帯域上で前記複数のフレームインターバルのうちのフレームインターバルにおいてデータを受信するための手段と、
をさらに備える請求項４１に記載の装置。
【請求項４４】
別の装置と通信して、前記別の装置のコンテンション・フリー・アクセスについての別の時間インターバルと、コンテンション・フリー・アクセスについての前記第１の部分を同期するための手段、
をさらに備える請求項４０に記載の装置。
【請求項４５】
コンテンション・フリー・アクセスについての前記第１部分は、前記装置によって使用される第１の時間インターバルと、前記別の装置によって使用される第２の時間インターバルと、に分割される、請求項４４に記載の装置。
【請求項４６】
前記装置と前記別の装置は、前記装置と関連づけられたベーシックサービスセット（ＢＳＳ）において、および、前記別の装置と関連づけられた別のＢＳＳにおいて、コンテンション・フリー・アクセスを可能にするために、非オーバーラッピングセットの周波数帯域を選ぶ、請求項４４に記載の装置。
【請求項４７】
マルチプル周波数帯域を得るための手段と、
前記マルチプル周波数帯域上でシンクロナスデュプレクス通信を実行するための手段と、
をさらに備える請求項４０に記載の装置。
【請求項４８】
前記マルチプル周波数帯域を得るための手段は、ＥＤＣＡ（Enhanced Distributed Channel Access）プロトコルにしたがって、前記マルチプル周波数帯域へのアクセスを得るための手段を備える、請求項４７に記載の装置。
【請求項４９】
前記マルチプル周波数帯域を得るための手段は、ＰＩＦＳ（Priority Inter-frame Space）アクセスプロトコルにしたがって、前記マルチプル周波数帯域へのアクセスを得るための手段を備える、請求項４７に記載の装置。
【請求項５０】
前記周波数帯域のうちの第１セットに対して、複数の送信チェインを割り付けるための手段と、
前記周波数帯域のうちの第２セットに対して、複数の受信チェインを割り付けるための手段と、
をさらに備える請求項４０に記載の装置。
【請求項５１】
コンピュータ読取可能媒体を備える無線通信のためのコンピュータプログラムプロダクトであって、前記コンピュータ読取可能媒体は、
請求項１８−２８に記載の方法のステップを実行することが実行可能である命令を備えている、
コンピュータプログラムプロダクト。
【請求項５２】
アクセスポイントであって、
複数のアンテナと、
ビーコン間インターバルの第１部分の間に複数の周波数帯域にわたって、前記複数のアンテナを介して前記アクセスポイントとの通信のために複数の無線ノードに対してコンテンション・フリー・アクセスを提供するように構成されたコンテンション・フリー・アクセスプロバイダと、
前記ビーコン間インターバルの第２部分の間に前記複数の周波数帯域にわたって、前記複数のアンテナを介して前記アクセスポイントとの通信のために複数の無線ノードに対してコンテンションベースのアクセスを提供するように構成されたコンテンションベースのアクセスプロバイダと、
を備え、コンテンション・フリー・アクセスについての前記第１部分は、各周波数帯域について同じ時間に開始し、各周波数帯域について同じ時間に終了する、アクセスポイント。
【手続補正２】
【補正対象書類名】明細書
【補正対象項目名】００６７
【補正方法】変更
【補正の内容】
【００６７】
ここにおいて提供される技術は、さまざまなアプリケーションにおいて使用されることができる。ある態様では、ここにおいて提示される技法は、アクセスポイント局、アクセス端末、モバイルハンドセット、または、ここに提供される技法を実行する処理ロジックおよびエレメントを備えた他のタイプの無線デバイス、に組み込まれうる。
以下に本件出願当初の特許請求の範囲に記載された発明を付記する。
［１］
無線通信のための方法であって、
複数の周波数帯域のうちの第１セットの周波数帯域に対して、複数の送信チェインを割り付けることと、
前記複数の周波数帯域のうちの第２セットの周波数帯域に対して、複数の受信チェインを割り付けることと、
を備える方法。
［２］
前記第２セットの周波数帯域に対して前記送信チェインを再割り付けすることと、
前記第１セットの周波数帯域に対して前記受信チェインを再割り付けすることと、
をさらに備える［１］に記載の方法。
［３］
前記第１セットの周波数帯域からの周波数帯域は、任意の所与時間において、無線ノードに対してデータを送信する、または、前記無線ノードからデータを受信する、のいずれかのために使用される、［１］に記載の方法。
［４］
前記第１セットの周波数帯域上でデータを送信するために前記送信チェインを使用することと；
前記第２セットの周波数帯域上でデータを受信するために前記受信チェインを使用することと、なお、前記データ送信およびデータ受信は、同期される；
をさらに備える、［１］に記載の方法。
［５］
前記第１セットの周波数帯域上の送信のための開始時間は、前記第２セットの周波数帯域上の受信のための開始時間と等しく、前記第１セットの周波数帯域上の送信のための終了時間は、前記第２セットの周波数帯域上の受信のための終了時間と等しい、［４］に記載の方法。
［６］
前記第１セットの周波数帯域は、ガードバンドによって、前記第２セットの周波数帯域から分離される、［１］に記載の方法。
［７］
無線通信のための装置であって、
複数の周波数帯域のうちの第１セットの周波数帯域に対して、複数の送信チェインを割り付けるように構成された送信チェインアロケータと、
複数の周波数帯域のうちの第２セットの周波数帯域に対して、複数の送信チェインを割り付けるように構成された受信チェインアロケータと、
を備える装置。
［８］
前記送信チェインアロケータは、前記第２セットの周波数帯域に対して前記送信チェインを再割り付けするように構成され、前記受信チェインアロケータは、前記第１セットの周波数帯域に対して前記受信チェインを再割り付けするように構成される、［７］に記載の装置。
［９］
前記第１セットの周波数帯域からの周波数帯域は、任意の所与時間において、無線ノードに対してデータを送信する、または、前記無線ノードからデータを受信する、のいずれかのために使用される、［７］に記載の装置。
［１０］
前記第１セットの周波数帯域上でデータを送信するために前記送信チェインを使用するように構成された送信機と；
前記第２セットの周波数帯域上でデータを受信するために前記受信チェインを使用するように構成された受信機と、なお、前記データ送信およびデータ受信は、同期される；
をさらに備える［７］に記載の装置。
［１１］
前記第１セットの周波数帯域上の送信のための開始時間は、前記第２セットの周波数帯域上の受信のための開始時間と等しく、前記第１セットの周波数帯域上の送信のための終了時間は、前記第２セットの周波数帯域上の受信のための終了時間と等しい、［１０］に記載の装置。
［１２］
前記第１セットの周波数帯域は、ガードバンドによって、前記第２セットの周波数帯域から分離される、［７］に記載の装置。
［１３］
無線通信のための装置であって、
複数の周波数帯域のうちの第１セットの周波数帯域に対して、複数の送信チェインを割り付けるための手段と、
前記複数の周波数帯域のうちの第２セットの周波数帯域に対して、複数の受信チェインを割り付けるための手段と、
を備える装置。
［１４］
前記第２セットの周波数帯域に対して前記送信チェインを再割り付けするための手段と、
前記第１セットの周波数帯域に対して前記受信チェインを再割り付けするための手段と、
をさらに備える［１３］に記載の装置。
［１５］
前記第１セットの周波数帯域からの周波数帯域は、任意の所与時間において、無線ノードに対してデータを送信する、または、前記無線ノードからデータを受信する、のいずれかのために使用される、［１３］に記載の装置。
［１６］
前記第１セットの周波数帯域上でデータを送信するために前記送信チェインを使用するための手段と；
前記第２セットの周波数帯域上でデータを受信するために前記受信チェインを使用するための手段と、なお、前記データ送信およびデータ受信は、同期される；
をさらに備える［１３］に記載の装置。
［１７］
前記第１セットの周波数帯域上の送信のための開始時間は、前記第２セットの周波数帯域上の受信のための開始時間と等しく、前記第１セットの周波数帯域上の送信のための終了時間は、前記第２セットの周波数帯域上の受信のための終了時間と等しい、［１６］に記載の装置。
［１８］
前記第１セットの周波数帯域は、ガードバンドによって、前記第２セットの周波数帯域から分離される、［１３］に記載の装置。
［１９］
コンピュータ読取可能媒体を備える無線通信のためのコンピュータプログラムプロダクトであって、前記コンピュータ読取可能媒体は、
複数の周波数帯域のうちの第１セットの周波数帯域に対して、複数の送信チェインを割り付けることと、
前記複数の周波数帯域のうちの第２セットの周波数帯域に対して、複数の受信チェインを割り付けることと、
が実行可能である命令を備えている、
コンピュータプログラムプロダクト。
［２０］
アクセスポイントであって、
複数のアンテナと；
複数の周波数帯域のうちの第１セットの周波数帯域に対して、前記複数のアンテナと結合された、複数の送信チェインを割り付けるように構成された送信チェインアロケータと；
前記複数の周波数帯域のうちの第２セットの周波数帯域に対して、前記複数のアンテナと結合された、複数の受信チェインを割り付けるように構成された受信チェインアロケータと；
を備えるアクセスポイント。
［２１］
無線通信のための方法であって、
ビーコン間インターバルの第１部分の間に、複数の周波数帯域にわたって、複数の無線ノードに対してコンテンション・フリー・アクセスを提供することと、
前記ビーコン間インターバルの第２部分の間に、前記複数の周波数帯域にわたって、複数の無線ノードに対してコンテンションベースのアクセスを提供することと、
を備える方法。
［２２］
コンテンション・フリー・アクセスについての前記第１部分は、各周波数帯域について同じ時間に開始し、各周波数帯域について同じ時間に終了する、［２１］に記載の方法。
［２３］
コンテンション・フリー・アクセスについての前記第１の部分は、各周波数帯域上で等しい長さの複数のフレームインターバルへと分割される、［２１］に記載の方法。
［２４］
前記複数のフレームインターバルからの各フレームインターバルは、データを送信する、または、データを受信する、のいずれかのために使用される、［２３］に記載の方法。
［２５］
前記複数の周波数帯域のうちの第１セットの周波数帯域上で前記複数のフレームインターバルのうちのフレームインターバルにおいてデータを送信することと、
前記第１セットの周波数帯域とは異なる前記複数の周波数帯域のうちの第２セットの周波数帯域上で前記複数のフレームインターバルのうちのフレームインターバルにおいてデータを受信することと、
をさらに備える［２３］に記載の方法。
［２６］
第１の装置によって第２の装置と通信して、前記第２の装置のコンテンション・フリー・アクセスについての別の時間インターバルと、コンテンション・フリー・アクセスについての前記第１の部分を同期すること、
をさらに備える［２１］に記載の方法。
［２７］
コンテンション・フリー・アクセスについての前記第１部分は、前記第１の装置によって使用される第１の時間インターバルと、前記第２の装置によって使用される第２の時間インターバルと、へ分割される、［２６］に記載の方法。
［２８］
前記第１および第２の装置は、前記第１の装置と関連づけられたベーシックサービスセット（ＢＳＳ）において、および、前記第２の装置と関連づけられた別のＢＳＳにおいて、コンテンション・フリー・アクセスを可能にするために、非オーバーラッピングセットの周波数帯域を選ぶ、［２６］に記載の方法。
［２９］
マルチプル周波数帯域を得ることと、
前記マルチプル周波数帯域上でシンクロナスデュプレクス通信を実行することと、
をさらに備える［２１］に記載の方法。
［３０］
前記マルチプル周波数帯域を得ることは、ＥＤＣＡ（Enhanced Distributed Channel Access）プロトコルにしたがって、前記マルチプル周波数帯域へのアクセスを得ることを備える、［２９］に記載の方法。
［３１］
前記マルチプル周波数帯域を得ることは、ＰＩＦＳ（Priority Inter-frame Space）アクセスプロトコルにしたがって、前記マルチプル周波数帯域へのアクセスを得ることを備える、［２９］に記載の方法。
［３２］
前記周波数帯域のうちの第１セットに対して、複数の送信チェインを割り付けることと、
前記周波数帯域のうちの第２セットに対して、複数の受信チェインを割り付けることと、
をさらに備える［２１］に記載の方法。
［３３］
無線通信のための装置であって、
ビーコン間インターバルの第１部分の間に複数の周波数帯域にわたって複数の無線ノードに対してコンテンション・フリー・アクセスを提供するように構成されたコンテンション・フリー・アクセスプロバイダと、
前記ビーコン間インターバルの第２部分の間に前記複数の周波数帯域にわたって、複数の無線ノードに対してコンテンションベースのアクセスを提供するように構成されたコンテンションベースのアクセスプロバイダと、
を備える装置。
［３４］
コンテンション・フリー・アクセスについての前記第１部分は、各周波数帯域について同じ時間に開始し、各周波数帯域について同じ時間に終了する、［３３］に記載の装置。
［３５］
コンテンション・フリー・アクセスについての前記第１の部分は、各周波数帯域上で等しい長さの複数のフレームインターバルへと分割される、［３３］に記載の装置。
［３６］
前記複数のフレームインターバルからの各フレームインターバルは、データを送信する、または、データを受信する、のいずれかのために使用される、［３５］に記載の装置。
［３７］
前記複数の周波数帯域のうちの第１セットの周波数帯域上で前記複数のフレームインターバルのうちのフレームインターバルにおいてデータを送信するように構成された送信機と、
前記第１セットの周波数帯域とは異なる前記複数の周波数帯域のうちの第２セットの周波数帯域上で前記複数のフレームインターバルのうちのフレームインターバルにおいてデータを受信するように構成された受信機と、
をさらに備える［３５］に記載の装置。
［３８］
別の装置と通信して、前記別の装置のコンテンション・フリー・アクセスについての別の時間インターバルと、コンテンション・フリー・アクセスについての前記第１の部分を同期するように構成された同期ロジック、
をさらに備える［３３］に記載の装置。
［３９］
コンテンション・フリー・アクセスについての前記第１部分は、前記装置によって使用される第１の時間インターバルと、前記別の装置によって使用される第２の時間インターバルと、に分割される、［３８］に記載の装置。
［４０］
前記装置と前記別の装置は、前記装置と関連づけられたベーシックサービスセット（ＢＳＳ）において、および、前記別の装置と関連づけられた別のＢＳＳにおいて、コンテンション・フリー・アクセスを可能にするために、非オーバーラッピングセットの周波数帯域を選ぶ、［３８］に記載の装置。
［４１］
マルチプル周波数帯域を得て、前記マルチプル周波数帯域上でシンクロナスデュプレクス通信を実行するように構成されたデュプレクス通信ロジック、
をさらに備えている［３３］に記載の装置。
［４２］
前記デュプレクス通信ロジックは、ＥＤＣＡ（Enhanced Distributed Channel Access）プロトコルにしたがって前記マルチプル周波数帯域へのアクセスを得るように構成されたロジックを備える、［４１］に記載の装置。
［４３］
前記デュプレクス通信ロジックは、ＰＩＦＳ（Priority Inter-frame Space）アクセスプロトコルにしたがって前記マルチプル周波数帯域へのアクセスを得るように構成されたロジックを備える、［４１］に記載の装置。
［４４］
前記周波数帯域のうちの第１セットに対して複数の送信チェインを割り付けるように、そして、前記周波数帯域のうちの第２セットに対して複数の受信チェインを割り付けるように、構成された割り付けロジック、
をさらに備える［３３］に記載の装置。
［４５］
無線通信のための装置であって、
ビーコン間インターバルの第１部分の間に複数の周波数帯域にわたって、複数の無線ノードに対してコンテンション・フリー・アクセスを提供するための手段と、
前記ビーコン間インターバルの第２部分の間に前記複数の周波数帯域にわたって、複数の無線ノードに対してコンテンションベースのアクセスを提供するための手段と、
を備える装置。
［４６］
コンテンション・フリー・アクセスについての前記第１部分は、各周波数帯域について同じ時間に開始し、各周波数帯域について同じ時間に終了する、［４５］に記載の装置。
［４７］
コンテンション・フリー・アクセスについての前記第１の部分は、各周波数帯域上で等しい長さの複数のフレームインターバルへと分割される、［４５］に記載の装置。
［４８］
前記複数のフレームインターバルからの各フレームインターバルは、データを送信する、または、データを受信する、のいずれかのために使用される、［４７］に記載の装置。
［４９］
前記複数の周波数帯域のうちの第１セットの周波数帯域上で前記複数のフレームインターバルのうちのフレームインターバルにおいてデータを送信するための手段と、
前記第１セットの周波数帯域とは異なる前記複数の周波数帯域のうちの第２セットの周波数帯域上で前記複数のフレームインターバルのうちのフレームインターバルにおいてデータを受信するための手段と、
をさらに備える［４７］に記載の装置。
［５０］
別の装置と通信して、前記別の装置のコンテンション・フリー・アクセスについての別の時間インターバルと、コンテンション・フリー・アクセスについての前記第１の部分を同期するための手段、
をさらに備える［４５］に記載の装置。
［５１］
コンテンション・フリー・アクセスについての前記第１部分は、前記装置によって使用される第１の時間インターバルと、前記別の装置によって使用される第２の時間インターバルと、に分割される、［５０］に記載の装置。
［５２］
前記装置と前記別の装置は、前記装置と関連づけられたベーシックサービスセット（ＢＳＳ）において、および、前記別の装置と関連づけられた別のＢＳＳにおいて、コンテンション・フリー・アクセスを可能にするために、非オーバーラッピングセットの周波数帯域を選ぶ、［５０］に記載の装置。
［５３］
マルチプル周波数帯域を得るための手段と、
前記マルチプル周波数帯域上でシンクロナスデュプレクス通信を実行するための手段と、
をさらに備える［４５］に記載の装置。
［５４］
前記マルチプル周波数帯域を得るための手段は、ＥＤＣＡ（Enhanced Distributed Channel Access）プロトコルにしたがって、前記マルチプル周波数帯域へのアクセスを得るための手段を備える、［５３］に記載の装置。
［５５］
前記マルチプル周波数帯域を得るための手段は、ＰＩＦＳ（Priority Inter-frame Space）アクセスプロトコルにしたがって、前記マルチプル周波数帯域へのアクセスを得るための手段を備える、［５３］に記載の装置。
［５６］
前記周波数帯域のうちの第１セットに対して、複数の送信チェインを割り付けるための手段と、
前記周波数帯域のうちの第２セットに対して、複数の受信チェインを割り付けるための手段と、
をさらに備える［４５］に記載の装置。
［５７］
コンピュータ読取可能媒体を備える無線通信のためのコンピュータプログラムプロダクトであって、前記コンピュータ読取可能媒体は、
ビーコン間インターバルの第１部分の間に複数の周波数帯域にわたって、複数の無線ノードに対してコンテンション・フリー・アクセスを提供することと、
前記ビーコン間インターバルの第２部分の間に前記複数の周波数帯域にわたって、複数の無線ノードに対してコンテンションベースのアクセスを提供することと、
が実行可能である命令を備えている、
コンピュータプログラムプロダクト。
［５８］
アクセスポイントであって、
複数のアンテナと、
ビーコン間インターバルの第１部分の間に複数の周波数帯域にわたって、前記複数のアンテナを介して前記アクセスポイントとの通信のために複数の無線ノードに対してコンテンション・フリー・アクセスを提供するように構成されたコンテンション・フリー・アクセスプロバイダと、
前記ビーコン間インターバルの第２部分の間に前記複数の周波数帯域にわたって、前記複数のアンテナを介して前記アクセスポイントとの通信のために複数の無線ノードに対してコンテンションベースのアクセスを提供するように構成されたコンテンションベースのアクセスプロバイダと、
を備えるアクセスポイント。
【手続補正書】
【提出日】平成24年3月9日(2012.3.9)
【手続補正１】
【補正対象書類名】特許請求の範囲
【補正対象項目名】請求項６
【補正方法】変更
【補正の内容】
【請求項６】
無線通信のための装置であって、
複数の周波数帯域のうちの第１セットの周波数帯域に対して、複数の送信チェインを割り付けるように構成された送信チェインアロケータと；
複数の周波数帯域のうちの第２セットの周波数帯域に対して、複数の受信チェインを割り付けるように構成された受信チェインアロケータと；
前記第１セットの周波数帯域上でデータを送信するために前記送信チェインを使用するように構成された送信機と；
前記第２セットの周波数帯域上でデータを受信するために前記受信チェインを使用するように構成された受信機と、なお、前記データ送信およびデータ受信は、同期される；
を備える装置。
【国際調査報告】
2012526476.tif 000012
2012526476.tif 000013
2012526476.tif 000014
2012526476.tif 000015
2012526476.tif 000016